(57)【要約】    【課題】  扉体を上扉，下扉に分割して開閉する構成でありながら高さ方向のスペースセービングを図り得るとともに、該扉体の開閉操作や食器類の出し入れの操作性なども良くする。    【解決手段】  食器類等を出し入れする洗浄槽４２の開口部４３を開閉する扉体を備えたものにおいて、この扉体を前記開口部４３の上下部を夫々閉鎖する上扉４６と下扉４７とから構成し、且つ該上扉４６の開閉操作が連動機構５７により連動して下扉４７が開閉回動される構成とし、開扉時には、共に前記開口部４３の下半部側に開放移動するとともに、開放した上扉４６の下端が下扉４７の回動支点たる固定支点Ａ３よりも下方に位置する構成とする。    【選択図】  図１
2005211218.tif 000002
【特許請求の範囲】
【請求項１】
内部に洗浄槽を配設した本体と、この本体の前面たる洗浄槽前面の開口部を開閉すべく設けた扉体と、食器類を収容し前記洗浄槽の開口部から出し入れ可能に配設した食器かごとを備えたものにおいて、
前記扉体は、前記洗浄槽の開口部の上下部を閉鎖する上扉と下扉とからなり、且つ上扉の開閉操作に連動して下扉が開閉回動される構成とし、開扉時の上下扉は、共に前記開口部の下半部側に開放移動するとともに、開放した上扉の下端が下扉の回動支点よりも下方に位置する構成としたことを特徴とする食器洗浄機。
【請求項２】
内部に洗浄槽を配設した本体と、この本体の前面たる洗浄槽前面の開口部を開閉すべく設けた扉体と、食器類を収容し前記洗浄槽の開口部から出し入れ可能に配設した食器かごとを備えたものにおいて、
前記扉体は、前記洗浄槽の開口部の上下部を閉鎖する上扉と下扉とからなり、且つ上扉の開閉操作に連動して下扉が開閉される構成とし、開扉時の上下扉は、共に前記開口部の下半部側に開放移動するとともに、そのうち上扉は前記本体前面から離反し、開放状態の下扉の前方にあって、ほぼ直立状態の開放位置に支持される構成としたことを特徴とする食器洗浄機。
【請求項３】
上扉には、扉体を開閉操作するための取っ手、および本体に対して閉扉状態をロックするロック手段を備えていることを特徴とする請求項１または２記載の食器洗浄機。
【請求項４】
上扉は、アーム機構を介して本体前面に対し接離可能に回動支持される構成とするとともに、ほぼ直立状態を維持したまま開閉移動することを特徴とする請求項１ないし３のいずれかに記載の食器洗浄機。
【請求項５】
上扉の開放位置の上端は、食器かごの上端とほぼ同一、または、それ以下となるように設定したことを特徴とする請求項１または２記載の食器洗浄機。
【発明の詳細な説明】
【技術分野】
【０００１】
本発明は、本体前面たる洗浄槽開口部を開閉する扉体を、２個の上扉と下扉とから構成してなる食器洗浄機に関する。
【背景技術】
【０００２】
一般に、多くの食器類を洗浄可能とするには食器かごの収納容積を大きくするなどの種々の工夫がなされているが、当然ながら食器かごの出し入れが容易でなければならず、従って該食器かごを出し入れする洗浄槽の開口部も極力大きくすることが望ましい。
このため、上記開口部を開閉する扉体を１枚扉の構成とするのでは大型化し、これを開閉操作するには重くて操作性に難があり、且つ１枚扉では広い回動範囲を占めるなど、特に食器洗浄機をキッチンのシンク上に設置するなど、所謂卓上タイプのコンパクト食器洗浄機では、スペース的に制約を受ける中で、上記いずれの難点も大きな課題である。
【０００３】
そこで、大きくした開口部に対し扉体を上下２個に分割した構成が提案されており、例えば図８（ａ）では食器洗浄機本体１の前面開口部を開閉する扉体として、折曲自在に連結した上扉２ａと下扉２ｂとから構成し、開放時にはこれを折り畳みながら開放し、上方位置に支持する構成としたものである。しかしながら、このものでは下扉２ｂを食器かご（図示せず）の出し入れの際の載置台として利用できず、従って食器類の出し入れが容易でないこと、および二つ折りする際に手指を挟むおそれがあるばかりか、図示するように本体１より上方に扉１個分の高さＨ１を必要とし、上部に棚があるような場所には設置できないとするスペース的な問題も生ずる。また、同図（ｂ）に示した異なる例は、扉体として本体１１前面に夫々独立した上扉１２ａ，下扉１２ｂを回動可能に設けてなるもので、本体１１上方のスペースセービングおよび下扉１２ｂを食器かごの出し入れの載置台機能については配慮されているものの、開閉操作が面倒であるとともに開放位置の上扉１２ａの前方への突出が本体１１の内方（洗浄槽内）の視野の妨げとなり、食器類の出し入れ操作を行ない難くしている。
【０００４】
そこで最近では、上記事情を考慮して図９に示すような食器洗浄機が供されており、これは下扉３２ｂの開閉動作に連動（連動機構３３）した上扉３２ａを備え、操作性を簡便にするとともに、開扉時の上扉３２ａを本体３１の上方に移動させてほぼ水平状態に支持する構成として、スペースセービングにも考慮したものである（例えば、特許文献１参照）。
【特許文献１】特開２００３−１８０５９５号公報
【発明の開示】
【発明が解決しようとする課題】
【０００５】
確かに、上記図９の構成によれば本体３１前面の開口部を大きく確保した上で扉体や食器類の出し入れの操作性は良好となり、本体３１上方のスペース（高さＨ２）も極力小さくて済むなど改善がみられる。
しかしながら、小さくなった高さＨ２であっても、やはり上方に棚などが接触するおそれがあるとともに、本体３１の内容積（洗浄槽）を上方に拡大して収納できる食器点数を増やしたい場合の妨げとなることも考えられる。また、下扉３２ｂを下方向に回動操作するに対して、上扉３２ａは反対に上方向に移動するため、使用者としては若干の違和感も有する。更には、前記図８，９の従来構成では、いずれも開放した上扉が上方に保持される構成のため、該上扉内面に付着した結露が滴下し、設置面や特に乾燥後に引き出した食器類上に落下するなどの不具合を生じ、その対策に苦慮せねばならない。
【０００６】
本発明は上記問題点を解決するため、上扉，下扉からなる扉体の構成でありながら高さ方向のスペースセービングを図り得るとともに、扉体の開閉操作や食器類の出し入れなどの操作性も良好な食器洗浄機を提供することを目的とする。
【課題を解決するための手段】
【０００７】
上記目的を達成するために本発明による食器洗浄機は、内部に洗浄槽を配設した本体と、この本体の前面たる洗浄槽前面の開口部を開閉すべく設けた扉体と、食器類を収容し前記洗浄槽の開口部から出し入れ可能に配設した食器かごとを備えたものにおいて、前記扉体は、前記洗浄槽の開口部の上下部を閉鎖する上扉と下扉とからなり、且つ上扉の開閉操作に連動して下扉が開閉回動される構成とし、開扉時の上下扉は、共に前記開口部の下半部側に開放移動するとともに、開放した上扉の下端が下扉の回動支点よりも下方に位置する構成としたことを主たる特徴とするものである。
【発明の効果】
【０００８】
本発明の食器洗浄機によれば、扉体の開閉操作は違和感なくスムースに行なえることはもとより、本体上方への開扉スペースを不要とするとともに、上扉に付着した結露が滴下する憂いもなく、且つ上扉の下端が下扉の回動支点より下方に位置するまで開放するので、洗浄槽前面の開口部を大きく開放できて食器類の出し入れも容易にできるなど、スペースセービングと併せて操作性に優れ実用に至便な食器洗浄機を提供できる。
【発明を実施するための最良の形態】
【０００９】
（第１の実施の形態）
以下、本発明の第１実施例を示す図１ないし図３を参照して説明する。
図１は開扉状態における食器洗浄機の一部破断して示す斜視図、図２は閉扉状態（イ）から開扉状態（ニ）に至るまでの動作手順を説明するための側面図で、図３（イ）ないし（ニ）は図２に対応した斜視図である。
【００１０】
まず、図１に開示された食器洗浄機の概略構成につき説明すると、矩形箱状をなす食器洗浄機本体４１内には洗浄槽４２を設け、該本体４１の前面でもある洗浄槽４２の前面には、下方の一部閉鎖部分を除いて大きく開口した開口部４３を形成している。この開口部４３は、洗浄槽４２内の食器類（図示せず）を直接出し入れ可能とすることはもとより、食器類を収納した後述する食器かごを水平方向に出し入れ可能とする大きさに設定されている。
【００１１】
しかるに、上記食器かごは、本実施例では洗浄槽４２内に上下２段に夫々独立して配設された上かご４４と下かご４５とからなり、これら上，下かご４４，４５は、洗浄槽４２内壁に設けられた図示しないレール上を前後にスライド可能に収容され、特に下かご４５は水平状態に開放した後述する下扉の内面上に至るまでスライド移動可能としている。  
そして、前記開口部４３を開閉する扉体として、該開口部４３の上下部を夫々閉鎖する上扉４６と下扉４７とを設けている。尚、開口部４３周縁には閉鎖時には扉体と密着する弾力性に富んだパッキン６０が装着されている。
【００１２】
そのうち、上扉４６には、その外面側に開閉操作するための取っ手４８、および内面側に先端が鈎状をなした係合爪片４９を設けている。この係合爪片４９は、本実施例では弾性的に回動復帰可能に設けられ、これに対向する本体４１側に固定的に設けられた被係合爪片５０と係合したとき、所謂上扉４６を閉鎖したとき、この閉鎖状態をロックするロック手段として機能するもので、所定以上の外力により係合，離脱可能な構成としている。このように、上扉４６に取っ手４８およびロック手段を設けているのは、該上扉４６を開閉操作することで、後述するように下扉４７が連動して開閉する構成をなしていて、所謂使用者が扉体を開閉操作する場合、上扉４６側を直接手動操作するためである。
【００１３】
また、上，下扉４６，４７は、図１に示すように開扉状態では、いずれも開口部４３の少なくとも下半部側に回動移動せられ、図示するように上扉４６は、ほぼ直立状態の開放状態に維持され、一方下扉４７はその裏面側でほぼ水平状態に維持されるよう支持されている。
即ち、上扉４６は本体４１側に回動可能に設けられた２本のアーム部材５１ａ，５１ｂからなるアーム機構５１を介して詳細は後述するが円弧状に回動移動し、本体４１の前面たる開口部４３に対して接離可能に設けられている。図１に示す開扉状態において、上側のアーム部材５１ａは両端部が上方に折曲指向した弓形状をなして、他端が上扉４６の上部に回動可能に連結されている。尚、図中にはアーム機構５１や後述する連動機構が適宜の静止部位である本体４１側に固定的に回動可能に支持された点を所謂固定支点Ａとして示しており、因みに上，下アーム部材５１ａ，５１ｂでは、その回動支点である固定支点Ａ１，Ａ２が夫々該当する。
【００１４】
一方、同図示下側のアーム部材５１ｂは、上記アーム部材５１ａとは反対側に反る形状にて、その他端は上記アーム部材５１ａの下方位置に連結されている。そして、上記構成のアーム機構５１には、上扉４６を所定位置で衝止するストッパー５２を本体４１側に設けている。本実施例では、回動する上側のアーム部材５１ａの下面側を衝止する位置に設けていて、該ストッパー５２により上扉４６の開放位置を規制し、下扉４７の水平状態に開放した前端部を前方から覆うようにほぼ直立状態に維持される。尚、上，下アーム部材５１ａ，５１ｂは、上扉４６の開閉動作の途中で交錯するため、互いに衝突しないように前方から見て左右方向（側方から見て前後方向）に位置ずれした配置構成としている。
【００１５】
これに対し、下扉４７は上記の如く水平状態に開放支持されるもので、本体４１側に固定された支持部材５９を介して回動支点たる固定支点Ａ３にて回動可能に支持されるとともに、該下扉４７の開放位置は前記ストッパー５２を併用して規制される構成としている。この場合、該ストッパー５２には、下扉４７に連結固定された扉支え５３の上面側が衝止されることで、それ以上の開放が規制される。尚、この下扉４７の水平位置は、洗浄槽４２内にスライド可能に収容された食器かごたる下かご４５のスライド面とほぼ同一高さに設定されており、該下扉４７の開放した水平状態の内面上にスムースに移動可能としている。また、本実施例では上扉４６のほぼ直立状態の上端は、上記した下かご４５の上端と同一高さ（若しくは、それ以下）となるように設定されている。
【００１６】
そして、ここで上記した上，下扉４６，４７が連動した構成であることにつき述べると、これは上扉４６のアーム機構５１と下扉４７との間に連動機構５７を介して連携した構成にあって、該連動機構５７は、本体４１側に固定支点Ａ４にて回動可能に支持された連携部材５５を基点に、その一端を上側のアーム部材５１ａの途中に回動可能に連結された連携部材５６と連結し、他端を前記扉支え５３と回動可能に連結された湾曲形状の連携部材５４に連結された構成からなり、また上記連携部材５５の揺動する途中部位、この場合、固定支点Ａ４の前方側（図示左側）には、引っ張りコイルスプリングからなる弾性体５８を張設している。
【００１７】
次に、上記構成の食器洗浄機の作用について、特には扉体の開閉動作につき図２，３を参照して説明する。
図２および図３は、上，下扉４６，４７の開放状態に至るまでの動作説明するため、特にはアーム機構５１や連動機構５７の動きや、上，下扉４６，４７の開放移動の形態につき具体的に開示している。しかるに、図２，３の（イ）は、閉扉状態を示し、この状態から同図（ロ）では取っ手４８を掴んで上扉４６を、閉扉時と同様のほぼ直立状態のまま図中の矢印方向に示す僅か前方に引っ張り出し、ロック手段である被係合爪片５０と係合爪片４９との係合を強制的に解除した段階の状態を示している。
【００１８】
そして、同図（ハ）では、扉体がほぼ半開状態に達した段階を示しており、そのうち上扉４６は、ほぼ直立状態のままその全体が本体４１の前面たる洗浄槽４２の開口部４３から完全に離反し、一方下扉４７は本体４１の前面の垂直面に対して約４５度の回動角度まで開放されている。即ち、上扉４６は固定支点Ａ１，Ａ２とするアーム部材５１ａ，５１ｂを介して開放移動され、本体４１の前面から前方および下方に向けて円弧状に回動移動する。同図（ハ）中に矢印で示すようにアーム機構５１の回動動作に対し、これの一端に連結された連動機構５７も固定支点Ａ４を中心に反時計方向に回動し、その動きは所謂連携部材５６，５５，５４および扉支え５３を順に介して固定支点Ａ３を基点に回動する下扉４７に伝達され、これを開放方向に回動する。
【００１９】
しかるに、上扉４６が開放する移動形態は、ほぼ直立状態に維持されたまま移行するとともに、図示するように開放回動し始めた下扉４７の前端部よりも前方に位置し、のみならず該前端部を覆うようにしつつ共に開放移動せられるので、使用者が非操作の下扉４７の動きに何ら留意する必要もなく違和感は生じない。
尚、上記扉体の開放操作は、連携部材５５と本体４１側との間に張設された弾性体５８に抗して行なわれるが、開扉時には扉体自身（特には上扉４６）の下方向の重力が加わるので、該弾性体５８の抗力は相対的に小さく操作性の何らの妨げにもならない。
【００２０】
しかして、同図（ニ）は扉体の完全な開扉状態を示している。即ち、上扉４６は、アーム機構５１に支持されたまま開放移動し、上側のアーム部材５１ａがストッパー５２の上面側に衝止される所定位置に維持される。一方、下扉４７もアーム機構５１に連結された連動機構５７を介して固定支点Ａ３を回動支点として開放回動され、そのうちの扉支え５３が上記ストッパー５２の下面側に衝止されることで、所定位置のほぼ水平状態に維持される。
【００２１】
斯くして、この完全な開扉状態にあっては、図示からも明らかなように上扉４６および下扉４７は共に前面開口部４３の下半部側に移動せられ、そのうち上扉４６はほぼ直立状態を維持されたまま下扉４７の前方にあって、該上扉４６の下端が下扉４７の固定支点Ａ３よりも下方に達し、本実施例では下扉４７全体よりも下方に位置するとともに、下扉４７を前方から隠すように覆う開放形態にある。従って、下扉４７は上扉４６の裏面側にあってほぼ水平状態にあり、その内面上には洗浄槽４２内部に収容された食器かごたる下かご４５を前方に引き出し、スライド移動できる開放位置に保持される。尚、上扉４６の内面に結露した水滴は、例えば食器洗浄機を設置したキッチンのシンク上に滴下し、食器かご内の食器類を直接濡らすおそれはない。
【００２２】
また、扉体を再び閉鎖するには実質的に上記開放操作とは逆の手順で行なえばよいことは明らかで、上扉４６の取っ手４８を掴み或いは手を掛けるなりして上方に持ち上げるように操作する。これにより、上扉４６はアーム機構５１の固定支点Ａ１，Ａ２を中心にほぼ直立状態を維持されたまま円弧状に移動し、本体４１の前面に接合しパッキン６０（図３参照）を有する開口部４３の上部を閉鎖する。一方、下扉４７も連動機構５７を介して上扉４６に連動して回動し、開口部４３の下部を閉鎖する。
【００２３】
尚、この閉扉操作は、上扉４６を持ち上げるため上記開扉操作時に比して若干大きな力を要することになるが、弾性体５８に蓄積されていた弾性復元力（引っ張り力）が連携部材５５，５６およびアーム部材５１ａを経て上扉４６を閉鎖する方向に作用するため、該上扉４６の操作力は重く（大きく）なることなく容易に操作できる。そして、上扉４６の閉鎖位置で更に押圧操作することで係合爪片４９が本体４１側の被係合爪片５０と弾性的に係合し、該閉鎖状態を保持しパッキン６０と弾性的に密着する。
【００２４】
以上説明したように、本実施例によれば次の効果を有する。
開扉時の上，下扉４６，４７は、共に本体４１前面の開口部４３の下半部側に開放移動するとともに、開放した上扉４６は下扉４７の前方に位置し且つ上扉４６の下端が少なくとも下扉４７の回動支点たる固定支点Ａ３よりも下方に位置する構成とした。従って、扉体の開放方向は上扉４６の開放操作方向とも一致するので、該扉体の開閉操作は違和感なくスムースに行なえるとともに、上扉４６を下方位置まで大きく開放できるので、洗浄槽４２の開口部４３全面を邪魔することなく大きく開放できる。そして、特に上扉４６は本体４１の上方に開扉スペースを必要としないので、キッチンの上部に棚があっても当接するおそれはなく、或いはその分本体４１の内容積を大きくすることも可能となるなど、コンパクト志向に叶ったスペースセービングが図れる。
【００２５】
また、下半部側に開放移動した扉体のうち特に上扉４６は、開口部４３とは大きく離反し且つ上記したように十分に下降した下方位置に維持されるので、従来のように上方位置の上扉から水滴が滴下する憂いもなければ、該上扉４６が大きく開口した開口部４３からの食器類の出し入れ操作の妨げとなることもない。しかも本実施例では、上扉４６のほぼ直立状態の上端は、収納状態或いは下扉４７上に引き出された食器かごたる下かご４５の上端と同一高さ（若しくは、それ以下）となるように設定されているので、食器類の出し入れ作業が容易で確実に行なうことができる。更には、上扉４６の開放移動する当初から完全開放状態に至るまで、これに連動する下扉４７の前端部を覆うようにしているので、該前端部が前方に突出することなく推移し、使用者は上扉４６のみを開放操作する如き快適な操作感のもとに、安全性や操作性にも一層有利となし得る。
【００２６】
そして、使用者が開扉操作する上扉４６には、取っ手４８やロック手段として機能する係合爪片４９を設けているが、該上扉４６は開放，閉鎖のいずれの動作形態にあっても、終始ほぼ直立した状態を維持したまま移動する。このことは、特に取っ手４８を掴んだ手指や手首に無理な折り曲げ状態を強いることなく操作できることとなり、この点からも上扉４６の開閉操作を一層良好とする。加えて、引っ張りコイルスプリングからなる弾性体５８を上扉４６を閉鎖方向に引っ張り付勢するよう張設したので、上扉４６の閉鎖時に該上扉４６自体の重量に対する操作力を軽減でき、閉扉操作も容易に行なえる。尚、斯かる弾性体５８は、上扉４６を閉扉方向に付勢する位置に設ければよいことから、他の連携部材との間やアーム機構５１に張設することも可能である。
【００２７】
上記第１実施例に対し、図４ないし図７は本発明の第２実施例、および変形例を示すもので、上記実施例と実質的に同一部分には同一符号を付して説明を省略し、異なる部分についてのみ説明する。
【００２８】
（第２の実施の形態）
まず、図４ないし図６は本発明の第２実施例を示すもので、そのうち図４は図１相当図、図５は図２相当図、および図６は図３相当図で、このものは上記実施例に対し、特に扉体の構成とその開閉機構において異なる。概述すると、扉体としての上扉６１は、若干傾倒するもほぼ直立状態のまま開閉移動するとともに、完全な開放状態でもほぼ直立状態に保持される。これに対し下扉６２は、内外に分割された内扉部材６２ａと外扉部材６２ｂとからなり、そのうちの内扉部材６２ａが閉扉時には前面の開口部４３にパッキン６０を解して水密に接合し、開扉時にはほぼ水平状態まで開放された後、その位置に保持され、一方外扉部材６２ｂは、閉扉時に内扉部材６２ａを覆うようにして共に閉鎖状態となし、開扉時にはその上端部にて前記上扉６１と連結されて連動する構成として、特には上扉６１を直立状態の開放位置に保持すべく、その下端部を支持する構成となしている。
【００２９】
以下、上記扉体につき詳述すると、まず上扉６１を回動可能に支持するアーム機構は、本体４１側の固定支点Ａ５とする１本のアーム部材６３からなり、該アーム部材６３の先端部は上扉６１の両側部（一方のみ図示）のやや上部に回動可能に連結されている。他に、該上扉６１の下端部は前記したように下扉６２の外扉部材６２ｂに連結され、上記アーム機構との共同作用により該上扉６１の開閉動作が行なわれる。
【００３０】
しかるに、上記アーム部材６３には下扉６２の内扉部材６２ａを連動するための連動機構６４が連結されており、該アーム部材６３に一端が連結された連携部材６５、その他端に連結され固定支点Ａ６を有する連携部材６６、この連携部材６６に長孔部６７ａを介して連結されたＬ字状をなす連携部材６７、この連携部材６７の他端が下扉６２側の扉支え６８に連結されている。尚、この下扉６２側の扉支え６８については、下記する下扉６２の構成の中で更に具体的に述べる。
【００３１】
即ち、下扉６２としては回動支点である固定支点Ａ７を中心に回動可能に設けられ、本体４１側の部材として支持部材５９に支持された構成にある。ただ、具体的には下扉６２は前記したように内扉部材６２ａと外扉部材６２ｂとからなる例えば２重板構成にあって、その内扉部材６２ａには前記扉支え６８が一体的に連結され、該扉支え６８が内扉部材６２ａの固定支点Ａ７として回動可能に支持されており、また同様に外扉部材６２ｂの一端も固定支点Ａ７の同軸心にて回動可能に支持されているが、これは扉支え６８（内扉部材６２ａ）とは互いに自由動状態に設けられている。
【００３２】
従って、上扉６１の開閉動作はアーム部材６３を通しては連動機構６４を介して内扉部材６２ａのみに伝達され、外扉部材６２ｂには上扉６１と直接連結されて連動する構成にある。尚、本実施例にあっても扉体を所定位置に開放維持するためのストッパー６９を有し、これは下扉６２の内扉部材６２ａをほぼ水平状態に保持すべく扉支え６８の回動を規制する位置に設けられ、これにより上扉６１のほぼ直立状態の開放位置も設定可能としており、その詳細は以下の作用説明にて述べる。また、上扉６１の閉扉時の操作力を軽減するための引っ張りコイルスプリングからなる弾性体７０を、例えば一端を固定支点Ａ６に保持し、他端をアーム部材６３に保持して張設している。その他、開放された上扉６１の上端部は下かご４５の高さと同等、若しくはそれ以下となるように設定されるなど、上記第１実施例と共通である。
【００３３】
次に、上記構成における特に扉体の開閉作用について、図５，６の（イ）（ロ）（ハ）（ニ）の順に沿って説明する。
まず、図５，６の共に（イ）では閉扉状態を示し、同図（ロ）では取っ手４８を掴んで上扉６１を前方に引っ張り出し、ロック手段である被係合爪片５０と係合爪片４９との係合を強制的に解除した初期段階の開放状態を示している。この場合、図５（ロ）中に矢印で示したように上扉６１にあっては、回動支点である固定支点Ａ５を有するアーム部材６３を介して回動する中で、その下端部を下扉６２（外扉部材６２ｂ）に連結支持されて、後方に若干傾倒した形態（ほぼ直立状態）にて開放移動する。
【００３４】
一方、下扉６２にあっては、そのうちの外扉部材６２ｂは自由端部側である上端部が上扉６１と連結されているので、直接連動して固定支点Ａ７を中心に回動を開始し、且つ上扉６１の下端部を常に支持した形態にて開放移動される。しかるに内扉部材６２ａは、上扉６１の開放動作に対してアーム部材６３、連動機構６４たる連携部材６５，６６，６７および扉支え６８を経て伝達され、固定支点Ａ７を中心に回動開放される。この場合、固定支点Ａ６を有する連携部材６６の図中矢印方向（反時計方向）の回動変位に対して、ほぼ垂直方向の長孔部６７ａでの滑りが殆んどなく連携部材６７に伝達され、該連携部材６７を主に図示右上方向に移動させる。これにより、扉支え６８は固定支点Ａ７を中心に反時計方向に回動し、所謂内扉部材６２ａを同方向に開放移動させる。
【００３５】
そして、同図（ハ）では、扉体がほぼ半開状態に達した段階を示しており、そのうち上扉６１は、図（ロ）のほぼ直立状態のまま移動して洗浄槽４２の開口部４３から更に離反するとともに下方に移動しているが、該上扉６１の全体が開口部４３の下部前方に対向する位置にある。これに対し、下扉６２はほぼ水平状態をなすまで回動開放されている。即ち、下扉６２も上記図（ロ）の段階から回動開放が進行するのであるが、内扉部材６２ａ側の扉支え６８がストッパー６９の下面に当接し、それ以上の回動を阻止される。従って、内扉部材６２ａは該ストッパー６９に衝止された位置で水平状態をなすように構成されており、ほぼ水平状態の位置に保持される。尚、外扉部材６２ｂは、上記連動機構６４やストッパー６９に関係なく上扉６１に連動して回動し、その回動変位の途中段階で水平位置に達した状態を示している。
【００３６】
更に、開扉動作が進行して同図（ニ）においては、扉体が完全に開放された状態を示している。即ち、上扉６１は、アーム部材６３により弾性体７０の張力に抗して開放移動し、該アーム部材６３がストッパー６９の上面側に衝止される所定位置で停止し、その位置に維持される。この場合、上扉６１は、外扉部材６２ｂと連結された下端部が固定支点Ａ７の水平線上より大きく下降した下方位置にあり、従って該下端部は本体４１寄りに移動され、この結果、これまでの後方へ傾倒した状態から反転して、若干前方に傾倒した状態に変位し、ただしそのほぼ直立状態であることは変わらずして開口部４３の下半部側に移動し、且つ該開口部４３の前面を広く開口した開放形態にある。
【００３７】
しかるに、下扉６２にあっては、その前方を上記上扉６１で覆われた位置にあって、そのうちの内扉部材６２ａは図（ハ）の段階で示した回動動作が規制された水平状態のまま維持される一方、外扉部材６２ｂは上記したように更に回動して、その自由端部側は固定支点Ａ７より遥かに下方位置に達して、上記した上扉６１の下端部を支持している。ただし、上扉６１のアーム部材６３は、図（ハ）から（ニ）に示すように回動しており、その動きは連動機構６４に伝達される。
【００３８】
ところが、そのうちの連携部材６６から同６７への伝達は、連結部位の長孔部６７ａが固定支点Ａ６とほぼ同一水平線上でほぼ同一半径寸法の位置にあるため、該長孔部６７ａが連携部材６６端部の回動軌跡とほぼ一致すること、更にはストッパー６９にて扉支え６８は回動阻止され、その端部に連結された連携部材６７も動きが規制されるなどのため、図（ハ）から（ニ）にかけて連結部位が長孔部６７ａ内を矢印で示す上方向に滑って移動し、当該連携部材６７に回動動作が伝達されない。しかるに、長孔部６７ａでの滑り（摩擦）抵抗により連携部材６７を回動する力が及ぼしたとしても、これに連結された扉支え６８はストッパー６９にて衝止されたまま固定保持される。この結果、内扉部材６２ｂは実質的に図（ハ）の段階と同じ水平状態のまま維持されるのである。
【００３９】
尚、上記したようにアーム部材６３の所定以上の回動動作は、下扉６２の内扉部材６２ａの回動を阻止するストッパー６９により長孔部６７ａを有する連携部材６７に伝達されず、或いは若干伝達されても当該連携部材６７の特に上方への動きは実質的に拘束された状態にあるため、該アーム部材６３に支持された上扉６１の回動移動も阻止される。従って、本実施例ではアーム部材６３がストッパー６９に先に衝止されて所定位置にて回動が阻止される旨述べたが、該ストッパー６９を利用することなく上扉６１の全開位置を求めることも可能である。ただし、ストッパー６９を採用した場合では、上扉６１の所定の全開位置が確実となり、或いは開放方向へ大きな回動力が付加されたときに堅固に阻止できる点でも有利である。
【００４０】
斯くして、図４にも示す開扉状態では、大きく開口した洗浄槽４２の開口部４３から内部の図示しない食器類や食器かごの出し入れや、特に下かご４５は必要に応じほぼ水平状態の内扉部材６２ａ上に引き出すことで、作業が容易にできる。また、内扉部材６２ａは下かご４５を前方に引き出す以外に、開口部４３の下半部をパッキン６０を介して水密に閉鎖するなど、所謂下扉６２の主体部として機能するものと言える。因みに、本実施例における外扉部材６２ｂは、図５，６の（イ）からも明らかな如く閉扉状態における外観を良好に保つに有効な外装板を兼ねた構成となしたもので、従って単に扉体の開閉機構として機能させるには、上扉６１に連結した所謂リンク機構となす構成のみで足りるものとも言える。
【００４１】
次に、扉体を再び閉鎖する場合につき述べると、これは実質的に上記開放操作とは逆の手順で行なえばよく、例えば図５，６では逆順の（ニ）−（ハ）−（ロ）−（イ）と進み、図中の矢印も反矢印方向と看做すことで理解できる。以下、要約して述べると、上扉６１の取っ手４８を掴み或いは手を掛けるなりして上方に持ち上げるように操作する。これにより、上扉６１はアーム部材６３の固定支点Ａ５を中心に回動し、且つ下端部を外扉部材６２ｂに連結支持されているので、ほぼ直立状態を維持されたまま円弧状に移動する。
【００４２】
この場合、同図（ニ）から（ハ）に示す段階では、上扉６１が傾倒方向を反転しながら上方向に回動移動するが、下扉６２の主体部である内扉部材６２ａは水平状態のまま維持されている。これは、アーム部材６３からの変位を連携部材６５，６６に伝達されるものの、次の連携部材６７に対してはその長孔部６７ａ内で連結部が上記とは逆方向に滑り、その間変位は伝達されないからである。また、弾性体７０はアーム部材６３を介して閉扉方向に引っ張る弾性復元力が作用しており、上扉６１延いては扉体の重量に対する操作力を軽減し操作性を良くしている。
【００４３】
そして、更に閉扉操作が進むと、同図（ロ）に示すように上記長孔部６７ａ内での滑りが止まり該連携部材６７は下方向へ変位せられ、これに連結された扉支え６８を固定支点Ａ７を中心に時計方向（反矢印方向）に回動させ、従って内扉部材６２ａを同方向に回動する。尚、上扉６１は、ほぼ同形態のまま円弧状に回動移動し、外扉部材６２ｂを伴ないながら上方に移動する。更に、閉扉動作が進み上扉６１は、本体４１の前面にパッキン６０を介して接合し開口部４３の上部を閉鎖する一方、該開口部４３の下部は内扉部材６２ａが閉鎖するとともに、これに重なるようにして外扉部材６２ｂが前方から覆い、この状態をロック手段である係合爪片４９と被係合爪片５０との係合によりロック保持される。
【００４４】
このように、本実施例では上記第１実施例と対比した場合、特に本実施例では下扉６２を、内扉部材６２ａと外扉部材６２ｂとから構成し、そのうち内扉部材６２ａは下扉６２の主体部として開扉時には水平状態に保持され、閉扉時には開口部４３を水密に閉鎖する機能をなし、一方外扉部材６２ｂは上扉６１と直接連結して連動する構成としている点で具体的に相違する。しかしながら、斯かる下扉６２の構成は、扉体として本来の使用形態や機能など第１実施例における下扉４７と何ら変わりない作用を有することは明らかである。
【００４５】
加えて、上記相違点に基づき第１実施例では２本のアーム部材５１ａ．５１ｂを用いて上扉４６を常にほぼ直立状態に保持しているのに対し、本実施例では１本のアーム部材６３と外扉部材６２ｂとの組合せにより、上扉６１をほぼ直立状態に支持する構成の点で異なるものの、扉体の開閉操作や図示しない食器類や食器かごの出し入れの操作がスムースに行なえるなど、第１実施例と実質的に同様の作用効果が期待できるものである。
【００４６】
例えば、本実施例の上扉６１の開閉時の形態は、厳密には若干前後に傾倒した形態で移動するが、その場合にあっても常に取っ手４８が前面に現れた状態のまま大きな傾倒変位はなく、従って扉体の全開，前閉時の取っ手４８による操作性についても上記第１実施例と同様に良好にできるものであり、勿論、本体４１上部のスペースセービングが図れることなど言うまでもない。
【００４７】
（変形例）
図７は、本発明の変形例を示したもので、特には上記第２実施例と類似した構成にあって、図７（イ）は図５（イ）相当図、同７図（ロ）は同図５（ニ）相当図である。
このものは、上記第２実施例の相当図とを対比することでも理解できるように、連携部材による前記連動機構６４を採用することなく、上扉６１と下扉６２との連結による連動機能のみにて、上記実施例とほぼ同様の作用効果を期待できるようにしたものである。従って、図７に示された構成は、図５の連動機構６４を取り除いた構成に相当するとも言える。
【００４８】
このため、下扉６２の内扉部材６２ａは、固定支点Ａ７により回動支持された自由動形態に組み込まれており、図７（イ）に示す閉扉状態にあっては、外方（前方）から外扉部材６２ｂにより支えられ、パッキン６０を介して開口部４３を閉鎖状態に保持されている。しかして、この閉扉状態から同図（ロ）に示す開扉状態に達するまでの開放手順や一連の動作も上記実施例と実質的に同じであるが、下扉６２の内扉部材６２ａと上扉６１のアーム部材６３との間に連動機構を存しないことにより、内扉部材６２ａの開放動作についてのみ以下のように異なる。
【００４９】
即ち、まず上扉６１の開放動作にあっては、上記実施例と同様に取っ手４８による開放操作に伴ない、上扉６１はアーム部材６３を介して回動する中で、その下端部を下扉６２に連結支持されているので、後方に若干傾倒した形態（ほぼ直立状態）にて開放移動する。そして、同図（ロ）に示す完全開放状態に至り、下扉６２の外扉部材６２ｂも上記実施例と同様に上扉６１の裏面で下方に回動した形態に至り、これらの開放位置はストッパー６９にアーム部材６３が衝止されることで位置決めされ、その状態に維持される。
【００５０】
ところで、洗浄槽４２の開口部４３周縁には既述の如くパッキン６０が装着されており、扉体はロック手段を介して閉鎖状態に維持されるとき、その弾発力を常に受けて密着し確実に水封機能を発揮している。従って、下扉６２においても同様に該パッキン６０と密着し、この場合、そのうちの内扉部材６２ａが弾発力に抗して密着した状態に維持されている。しかるに、上記したように上扉６１が開放され、且つこれに連動して外扉部材６２ｂが開放すると、内扉部材６２ａの外方（前方）からの支えがなくなり、該内扉部材６２ａは自由動状態になる。このため、内扉部材６２ａはパッキン６０の弾発力により前方に押し出され、後は自重により開放回動し、遂には図（ロ）に示すように扉支え６８がストッパー６９の下面側に衝止される所定位置まで回動し、以って水平状態まで開放した状態に保持される。
【００５１】
これに対し、扉体を閉鎖操作する場合も上記とは逆の手順にて行なえばよく、即ち同図（ロ）の開放状態から上扉６１の取っ手４８を上方に持ち上げるようにして、該上扉６１をアーム部材６３を介して回動操作すると、下扉６２のまず外扉部材６２ｂのみが連動して回動し、これがほぼ水平状態に達すると、水平位置に保持されていた内扉部材６２ａを捕捉して共に回動開始する。このように、上，下扉６１，６２が一体に回動し、同図（イ）に示す閉鎖位置まで達すると、これら扉６１，６２は夫々洗浄槽４２の開口部４３の上下部を閉鎖し、その閉鎖状態をロック手段により保持されるとともに、パッキン６０と弾性的に密着した状態を得る。この場合、下扉６２にあっては内扉部材６２ａがパッキン６０と直接密着し、この状態を外扉部材６２ｂが支えた構成となる。尚、アーム部材６３に引っ張り方向に張設された弾性体７０は、上記実施例と同じく扉体の閉鎖時の操作力を軽減する機能を有する。
【００５２】
斯くして、この変形例にあっては上扉６１とは下扉６２の外扉部材６２ｂのみが機械的に連動し、内扉部材６２ａは連動機能を有しない自由動状態の構成でありながら、例えば開放時には内扉部材６２ａに対し外扉部材６２ｂの支えが解除されるに伴ない、既存のパッキン６０の弾発力を利用するなどして、結果的に扉体の開閉は連動して行なわれるものと言え、上記第２実施例と実質的に同じ形態にて同様の作用効果が期待できるものである。このことから、例えば内扉部材６２ａが閉鎖状態にあるとき、開放側に重心位置がある構成とすれば、外扉部材６２ｂの支えが解除されたときパッキン６０の弾発力を不要、若しくは極小にしても開放回動を一層確実に実行できる。
【００５３】
尚、本発明は上記し且つ図面に示した各実施例にのみ限定されるものではなく、例えば上扉と下扉の連動機構の具体的構成など、実施に際して本発明の要旨を逸脱しない範囲内で種々変更して実施し得る。
【図面の簡単な説明】
【００５４】
【図１】本発明の第１実施例を示す食器洗浄機の斜視図
【図２】扉体を開閉する動作手順（イ，ロ，ハ，ニ）を説明するための側面図
【図３】図２に対応した斜視図
【図４】本発明の第２実施例を示す図１相当図
【図５】図２相当図
【図６】図３相当図
【図７】本発明の変形例を示し、同図（イ）は図５（イ）相当図，（ロ）は図５（ニ）相当図
【図８】従来例の異なる例（ａ），（ｂ）を示す側面図
【図９】更に異なる従来例を示す側面図
【符号の説明】
【００５５】
図面中、４１は本体、４２は洗浄槽、４３は開口部、４５は下かご（食器かご）、４６，６１は上扉（扉体）、４７，６２は下扉（扉体）、４８は取っ手、４９は係合爪片（ロック手段）、５０は被係合爪片（ロック手段）、５１はアーム機構、５２，６９はストッパー、５７，６４は連動機構、６０はパッキン、６２ａは内扉部材、６２ｂは外扉部材、および６３はアーム部材（アーム機構）を示す。
【図１】
2005211218.tif 000003
【図２】
2005211218.tif 000004
【図３】
2005211218.tif 000005
【図４】
2005211218.tif 000006
【図５】
2005211218.tif 000007
【図６】
2005211218.tif 000008
【図７】
2005211218.tif 000009
【図８】
2005211218.tif 000010
【図９】
2005211218.tif 000011